(57)【要約】【課題】ガタの発生のない状態で取手の回動ロックを行うことにより、使用上の安全性を向上させる。【解決手段】固定側部材３に取り付けられたシャフト部材４と、軸方向の移動が拘束された状態でシャフト部材４に取り付けられ、取手の回動に伴ってシャフト部材４を中心に回転する可動体５と、回転が拘束された状態で軸方向へ移動可能にシャフト部材４に取り付けられたロック部材６と、可動体５とロック部材６との対向部位に形成され、ロック部材６の軸方向への移動によって相互の密着状態で噛み合って可動体５の回転をロックするロック機構１２と、軸方向へ移動可能にシャフト部材４に取り付けられ、軸方向への移動によってシャフト部材４及びロック部材６の間に侵入してシャフト部材４及びロック部材６に密着するスライド部材７と、ロック機構１２のロックを解除するための解除レバー２４を有し、解除レバー２４への操作によってスライド部材７を密着状態から退避させた後、ロック機構の噛み合いが解除する方向にロック部材６を退避させるロック解除機構８とを備える。【選択図】          図３
2004169338.tif 000002
【特許請求の範囲】
【請求項１】
固定側部材に取り付けられたシャフト部材と、
軸方向の移動が拘束された状態でシャフト部材に取り付けられ、取手の回動に伴ってシャフト部材を中心に回転する可動体と、
回転が拘束された状態で軸方向へ移動可能にシャフト部材に取り付けられたロック部材と、
可動体とロック部材との対向部位に形成され、ロック部材の軸方向への移動によって相互の密着状態で噛み合って可動体の回転をロックするロック機構と、
軸方向へ移動可能にシャフト部材に取り付けられ、軸方向への移動によってシャフト部材及びロック部材の間に侵入してシャフト部材及びロック部材に密着するスライド部材と、
ロック機構のロックを解除するための解除レバーを有し、解除レバーへの操作によってスライド部材を前記密着状態から退避させると共にロック機構の噛み合いが解除する方向にロック部材を退避させるロック解除機構とを備えていることを特徴とする取手装置。
【請求項２】
前記スライド部材がシャフト部材とロック部材との間に移動するように付勢する付勢部材をさらに備えていることを特徴とする請求項１記載の取手装置。
【請求項３】
前記ロック解除機構は、解除レバーへの操作によってスライド部材を前記密着状態から退避させた後、ロック機構の噛み合いが解除する方向にロック部材を退避させることを特徴とする請求項１または２記載の取手装置。
【請求項４】
前記シャフト部材とロック部材との間に軸方向に沿って傾斜する楔空間が形成され、前記スライド部材は楔空間に侵入してシャフト部材及びロック部材に密着することを特徴とする請求項１〜３のいずれかに記載の取手装置。
【請求項５】
前記ロック機構は、シャフト部材の軸方向に沿って傾斜したテーパ面を有して対向する一対のギヤ突起からなり、前記ロック部材の軸方向への移動によってテーパ面が密着するように一対のギヤ突起が噛み合うことを特徴とする請求項１〜４のいずれかに記載の取手装置。
【発明の詳細な説明】
【０００１】
【発明の属する技術分野】
本発明は、回動可能な取手を有すると共に、取手の回動を所定位置でロックする構造の取手装置に関し、特に、取手をガタのない状態で回動ロックすることが可能な取手装置に関する。
【０００２】
【従来の技術】
トイレや浴室等には、老人、病人、身障者の行動の補助を行うため、取手が水平状態となるように壁面に取り付けられている。この場合、取手が定位置で固定されている場合には、人の行動の邪魔になるため、水平面内で回動可能として人の行動に妨げにならないようにした取手装置が開発されている。この取手装置においては、人の行動の補助を行うために、取手を水平面内における所定の回動角度でロックする必要がある。
【０００３】
このようなロック機構を備えた従来の取手装置としては、壁面に取り付けたブラケットに複数のロック凹部を円周上の等間隔に位置するように形成する一方、ブラケットに回動可能に取り付けられた取手側にロックピースを設け、このロックピースを引張りばねのばね力によってロック凹部と嵌合するように付勢した構造のものがある。（特許文献１参照）
【０００４】
この従来の取手装置では、ロック解除レバーを引張りばねのばね力に抗して操作することにより、ロックピースをロック凹部との嵌合から外して取手を好みの角度にまで回動させる。取手が好みの角度に達したとき、ロック解除レバーを離すことにより、引張りばねのばね力によってロックピース６が所定のロック凹部に嵌合して取手の回動ロックが行われる。
【０００５】
【特許文献１】
特開２０００−２１４０９号公報（第３頁、図１〜図５）
【０００６】
【発明が解決しようとする課題】
しかしながら、従来の取手装置においては、ロックピースが嵌合するためにロック凹部をロックピースよりも大きく形成する必要がある。このため、ロックピースのロック凹部への嵌合状態においては、遊びが発生する。特に、ロックピースが引張りばねのばね力によって自動的にロック凹部へ嵌合する構造では、ロック凹部をさらに大きくしてロックピースの嵌合を確実にする必要がある。これにより、さらに遊びが大きくなっている。
【０００７】
このような遊びは、取手の基端側である回転中心部分で僅かであっても、取手の先端側では取手の長さに応じて大きくなってガタが発生する。このようなガタの発生により、取手の回動ロック状態が不安定となり、体の不自由な人や高齢者が使用する場合に、使用上危険との問題がある。
【０００８】
本発明は、このような従来の問題点を考慮してなされたものであり、ガタの発生のない状態で取手の回動ロックを行うことができ、これにより使用上の安全性が向上した取手装置を提供することを目的とする。
【０００９】
【課題を解決するための手段】
上記目的を達成するため、請求項１の発明の取手装置は、固定側部材に取り付けられたシャフト部材と、軸方向の移動が拘束された状態でシャフト部材に取り付けられ、取手の回動に伴ってシャフト部材を中心に回転する可動体と、回転が拘束された状態で軸方向へ移動可能にシャフト部材に取り付けられたロック部材と、可動体とロック部材との対向部位に形成され、ロック部材の軸方向への移動によって相互の密着状態で噛み合って可動体の回転をロックするロック機構と、軸方向へ移動可能にシャフト部材に取り付けられ、軸方向の移動によってシャフト部材及びロック部材の間に侵入してシャフト部材及びロック部材に密着するスライド部材と、ロック機構のロックを解除するための解除レバーを有し、解除レバーへの操作によってスライド部材を前記密着状態から退避させると共にロック機構の噛み合いが解除する方向にロック部材を退避させるロック解除機構とを備えていることを特徴とする。
【００１０】
この発明では、可動体の回転をロックするロック機構がロック部材の軸方向の移動によって相互の密着状態で噛み合うと共に、スライド部材がロック部材とシャフト部材とに密着するようにロック部材及びシャフト部材の間に侵入するため、取手の回動中心部分（シャフト部材）での遊びがなくなる。このため、ガタの発生のない状態で取手の回動ロックを行うことができ、安全性が向上する。
【００１１】
請求項２の発明は、請求項１記載の取手装置であって、前記スライド部材がシャフト部材とロック部材との間に移動するように付勢する付勢部材をさらに備えていることを特徴とする。
【００１２】
この発明では、付勢部材の付勢によって、スライド部材がシャフト部材とロック部材との間に侵入してこれらに密着する。このため、シャフト部材とロック部材との間の遊びが常になくなり、これらの間で発生するガタを防止することができる。
【００１３】
請求項３の発明は、請求項１または２記載の取手装置であって、前記ロック解除機構は、解除レバーへの操作によってスライド部材を前記密着状態から退避させた後、ロック機構の噛み合いが解除する方向にロック部材を退避させることを特徴とする。
【００１４】
このように、スライド部材を退避させた後に、ロック部材を退避させることにより、退避が段階的となるため、小さな力でロックの解除を行うことができる。
【００１５】
請求項４の発明は、請求項１〜３のいずれかに記載の取手装置であって、前記シャフト部材とロック部材との間に軸方向に沿って傾斜する楔空間が形成され、前記スライド部材は楔空間に侵入してシャフト部材及びロック部材に密着することを特徴とする。
【００１６】
このように、楔空間をシャフト部材とロック部材との間に設けることにより、スライド部材が楔空間内に侵入したときのシャフト部材及びロック部材に対するスライド部材の密着を強固とすることができる。これによりシャフト部材とロック部材の間の遊びをさらになくすことが可能となる。
【００１７】
請求項５の発明は、請求項１〜４のいずれかに記載の取手装置であって、前記ロック機構は、シャフト部材の軸方向に沿って傾斜したテーパ面を有して対向する一対のギヤ突起からなり、前記ロック部材の軸方向への移動によってテーパ面が密着するように一対のギヤ突起が噛み合うことを特徴とする。
【００１８】
この発明では、一対のギヤ突起が噛み合う際に、一対のギヤ突起に形成したテーパ面が相互に密着するため、ギヤ突起が形成されている可動体とロック部材との間の遊びを確実になくすことができ、ガタの発生を防止することができる。
【００１９】
【発明の実施の形態】
以下、本発明を図示する実施の形態により、具体的に説明する。なお、各実施の形態において、同一の部材には同一の符号を付して対応させてある。
【００２０】
（実施の形態１）
図１〜図９は、本発明の実施の形態１を示し、図１は側面図、図２は正面図、図３は図２におけるＡ−Ａ線断面図、図４は図３におけるＢ−Ｂ線断面図、図５は可動体に形成されたギヤ突起の斜視図、図６はスライド部材の周辺を示す分解斜視図、図７〜図９は作動を示す断面図である。
【００２１】
この実施の形態の取手装置１は、トイレ、浴室等の壁面２に取り付けられる固定側部材としてのブラケット３に装着されるものである、ブラケット３は全体が縦コ字形となっており、壁面２にボルト３ａによって固定されている。取手装置１は、ブラケット３に取り付けられたシャフト部材４と、シャフト部材４に取り付けられた可動体５、ロック部材６及びスライド部材７と、ロック解除機構８とを備えている。
【００２２】
シャフト部材４は上部の第１のシャフト部４ａと下部の第２のシャフト部４ｂとが連設することにより上下方向に直線状に延びている。そして、その上下端部がブラケット３に固定されることにより、シャフト部材４がブラケット３に支持されている。
【００２３】
第１のシャフト部４ａは、図４に示すように四角形断面となっており、相応する形状となるようにブラケット３に形成した嵌合孔に嵌合している。第２のシャフト部４ｂは円形断面となっており、その下端部がブラケット３に当接した状態で、ボルト９をブラケット３から第２のシャフト部４ｂにねじ込むことにより固定されている。このような取付構造により、シャフト部材４はブラケット３に固定状態となって取り付けられている。なお、第１のシャフト部４ａが太く、第２のシャフト部４ｂが細くなっており、これらの境界部分に段部４ｃが形成されている。
【００２４】
可動体５は、円筒形状に成形されており、その中心部分にシャフト部材４の第２のシャフト部４ｂが貫通することにより、シャフト部材４に回転可能に取り付けられている。また、可動体５はその上部がシャフト部材４の段部４ｃに当接しており、これにより可動体５はシャフト部材４の軸方向への移動が拘束されている。この可動体５には、水平方向に延びる円筒状のジョイント部５ａが一体的に形成されており、このジョイント部５ａに取手１０が取り付けられている。なお、可動体５の上端部には後述するロック機構１２の一部を構成するギヤ突起１３が一体的に形成されるものである。
【００２５】
取手１０は、可動体５側の端部のジョイント部５ａに挿入され、ピン１１によってジョイント部５ａに連結されている。このようにジョイント部５ａに連結されることにより、取手１０が水平方向に延びており、取手１０を水平面内で回動させることにより可動体５が同方向に一体的に回転するようになっている。
【００２６】
ロック部材６は、シャフト部材４の第１のシャフト部４ａが貫通することにより、可動体５の上方に位置している。ロック部材６には図６に示すように、四角形の貫通孔６ａが形成されており、この貫通孔６ａにシャフト部材４の第１のシャフト部４ａが貫通している。これにより、ロック部材６は回転が拘束された状態で、シャフト部材４の軸方向へ移動可能となっている。
【００２７】
軸方向へのロック部材６の移動を可能とするため、ロック部材６の上端部には径が大きくなったフランジ部６ｂが形成されている。このフランジ部６ｂに対して、後述するロック解除機構８が当接して押し上げることにより、ロック部材６が上方に移動する。なお、フランジ部６ｂの下側には、外径が可動体５の外径と略同等の胴部６ｃが一体的に形成されている。
【００２８】
ロック部材６の貫通孔６ａは、第１のシャフト部４ａとの間で隙間が形成されるように第１のシャフト部４ａよりも大きな四角形状となっており、各内面には斜面１４が形成されている。斜面１４はシャフト部材４の軸方向に沿って傾斜するものであり、この実施の形態では、上方から下方に向かってシャフト部材４に徐々に接近するように傾斜している。このように傾斜することにより、シャフト部材４の第１のシャフト部４ａとロック部材６との間に楔空間１５が形成されている。
【００２９】
かかるロック部材６における可動体５との対向部位には、可動体５のギヤ突起１３と共にロック機構１２を構成するギヤ突起１６が形成されている。図５は、可動体５側のギヤ突起１３を示す。このギヤ突起１３は、可動体５の上端面に対して、複数のギヤ歯１３ａを円周上に等間隔に突出させることにより形成されており、各ギヤ歯１３ａの円周方向の両側面には、テーパ面１７が形成されている。テーパ面１７は、所定の角度を有してシャフト部材４の軸方向に沿って傾斜している。この角度としては、ロック部材６側のギヤ突起１６と円滑に噛み合う範囲で決定され、例えば５°前後の角度となるように設定される。
【００３０】
ギヤ突起１６は、ロック部材６におけるシャフト部材４との対向面（下面）に形成されている。このギヤ突起１６においても、図６に示すように、円周方向に等間隔に突出したギヤ歯１６ａによって構成されており、各ギヤ歯１６ａにおける円周方向の両側面には、可動体５側のギヤ突起１３における各ギヤ歯１３ａと対向するテーパ面１８が形成されている。一対のギヤ突起１３、１６はテーパ面１７、１８が相互に密着するように噛み合うものであり、この密着状態の噛み合いによって、回転方向の遊びが可動体５とロック部材６との間で発生することを防止することが可能となっている。
【００３１】
スライド部材７は、ロック部材６の上方に位置するように配置されている。また、スライド部材７はシャフト部材４における四角形断面の第１のシャフト部４ａが貫通することにより、シャフト部材４の軸方向に沿って移動可能となっている。
【００３２】
スライド部材７は、図６に示すように、半割形状の一対のスライド駒１９を組み合わせることにより形成されるものである。各スライド駒１９は、半円板状の受片２０と、受片２０から軸方向に垂下する楔片２１とを有している。一のスライド駒１９における楔片２１は、直交位置に２つが設けられており、一対のスライド駒１９を組み合わせることにより、４つの楔片２１によって四角形状の貫通孔が形成され、この貫通孔にシャフト部材４の第１のシャフト部４ａが貫通するようになっている。
【００３３】
スライド部材７の４つの楔片２１は、図３に示すように、シャフト部材４の第１のシャフト部４ａとロック部材６との間に侵入するものであり、各楔片２１におけるシャフト部材４側の面が垂直状に形成される一方、ロック部材６側の面が斜面２２となるように形成されている。斜面２２はロック部材６の貫通孔６ａに形成された斜面１４と同じ方向に略同じ角度で傾斜している。各楔片２１の両面をこのように形成することにより、スライド部材７がシャフト部材４とロック部材６との間に形成された楔空間１５内に侵入すると、スライド部材７はシャフト部材４及びロック部材６の双方に密着した状態となる。この密着により、この部分での遊びの発生を防止することができる。
【００３４】
かかるスライド部材７とブラケット３の上面との間には、付勢部材としてのコイルばね（圧縮ばね）２３が配置されている。コイルばね２３は両端部が自由状態となっており、シャフト部材４の第１のシャフト部４ａが挿通した状態で、スライド部材７の受片２０及びブラケット３の上面との間に配置されることにより、スライド部材７がシャフト部材４とロック部材６との間に侵入するように付勢している。
【００３５】
ロック解除部材８は、取手１０の長手方向に沿ってスライド可能に取手１０の先端部分に取り付けられた解除レバー２４と、可動体５側に設けられた解除筒２５と、これらを連結するリンク機構２６とを備えている。
【００３６】
解除レバー２４は、手で操作することにより取手１０に長手方向に沿って形成されたスライド孔１０ａを移動することができる。
【００３７】
解除筒２５は、可動体５の上部及びロック部材６の胴部６ｃが挿通している。この解除筒２５は、可動体５から立設しているガイドピン２７が外側部分に貫通しており、ガイドピン２７をガイドとしてシャフト部材４の軸方向に沿って上下方向に移動する。
【００３８】
解除筒２５の上部は、外側の第１係合段部２８および内側の第２係合段部２９を有した２段構造となっている。第１の係合段部２８は、スライド部材７の受片２０に対応しており、第２の係合段部２９はロック部材６のフランジ部６ｂに対応しており、解除筒２５が上方に移動することにより、これらの係合段部２８、２９がスライド部材７及びロック部材６を軸方向上方に押し上げる。この場合、第２の係合段部２９に対して第１の係合段部２８が高い位置に形成されており、これにより第１の係合段部２８がスライド部材７の受片２０に当接してスライド部材７を押し上げ、その後、第２の係合段部２９がロック部材６のフランジ部６ｂに当接してロック部材６を押し上げる２段階の押し上げを行うようになっている。
【００３９】
リンク機構２６は、取手１０内に配置された第１のアーム３０と、第１のアームに連結された第２のアーム３１と、第２のアームに連結された第３のアーム３２とを備えている。第１のアーム３０は、先端部が取手１０内に設けた状態で解除レバー２４に連結された摺動体３３にピンによって連結されており、解除レバー２４への操作によって、取手１０内を長手方向に移動する。
【００４０】
第２のアーム３１は、先端部がピンによって第１のアーム３２に連結された状態で、取手１０の外側に抜き出されており、その他端部が可動体５のジョイント部５ａから立設する支持ポスト３６に支持されている。この第２のアーム３１の他端部には第３のアーム３２がピンによって連結されている。第３のアーム３２は、図１に示すように、解除筒２５の外側に達しており、解除筒２５の外面に取り付けられた凸ピン３４に当接している。この第３のアーム３２は凸ピン３４を押し上げる方向に回動するものであり、これにより、解除筒２５が方向に移動する。
【００４１】
次に、この実施の形態における作動を説明すると、図３は、解除レバー２４が水平面内の定位置で停止したロック状態を示す。
【００４２】
このロック状態では、コイルばね２３の付勢力により、スライド部材７が軸方向下側に押し付けられるため、楔片２１がシャフト部材４とロック部材６との間に形成されている楔空間１５内に侵入する。この侵入により、各楔片２１がシャフト部材４の第１のシャフト部４ａとロック部材６とに密着する。この密着により、スライド部材７部分における遊びの発生を防止される。
【００４３】
一方、スライド部材７がシャフト部材４とロック部材６との間に侵入することにより、各楔片２１の斜面２２がロック部材６の斜面１４に密着するため、ロック部材６を軸方向下側（可動体５側）に移動させる。ロック部材６と可動体５との対向部分には、ギヤ突起１３、１６が対向するように形成されており、ロック部材６の移動によってこれらが相互に噛み合う。このとき、それぞれのギヤ突起１３、１６にテーパ面１７、１８が軸方向に沿って傾斜しているため、テーパ面１７、１８が完全に密着した状態となるまでギヤ突起１３、１６が噛み合う。これにより、可動体５とロック部材６との間で回転方向の遊びが発生することがなくなる。
【００４４】
このように可動体５とロック部材６とが密着状態で噛み合うロック機構１２を有し、さらに、スライド部材７がロック部材６及びシャフト部材４の間に密着状態で侵入することにより、取手１０の回動中心部分での遊びがなくなる。これにより、取手１０の回動ロックをガタのない状態とすることができる。
【００４５】
図７〜図９は、取手１０の回動ロックを解除する状態を示し、解除レバー２４を壁面２の方向（図１及び図３における左方向）に移動させることにより第１のアーム３０が同方向に移動して、第２のアーム３１が時計方向に回動し、これにより、第３のアーム３２が凸ピン３４を押し上げるため、解除筒２５が押し上げられる。
【００４６】
この押し上げにより、解除筒２５の第１の係合段部２８が受片２０に当接するため、スライド部材７の全体がコイルばね２３の付勢力に抗して軸方向上側に移動する（図７参照）。このスライド部材７の上側の移動によって、楔片２１は楔空間１５から徐々に退避する。
【００４７】
さらに、解除筒２５が押し上げられることにより、第２の係合段部２９がフランジ部６ｂに当接するため、ロック部材６が押し上げられる（図８参照）。このときには、スライド部材７の楔片２１がすでに楔空間１５から抜け出ているため、ロック部材６はコイルばね２３の付勢力よりわずかに大きな力で移動することができる。
【００４８】
解除レバー２４がスライド孔１０ａの移動終端まで達すると、ロック部材６が移動終端に退避してギヤ突起１３、１４の噛み合いが解除される。これにより、取手１０の回動が可能となる。
【００４９】
この状態で、使用者は取手１０を任意の位置に回動させた後、解除レバー２４を離すことにより、コイルばね２３の付勢力により可動体５のギヤ突起１３と、ロック部材６のギヤ突起１６とが噛み合ってロックされ、図３に示すロック状態に復帰する。従って、取手１０を使用者の好みの位置に停止させることができる。
【００５０】
このような実施の形態では、可動体５とロック部材６とが密着状態で噛み合うと共に、スライド部材７がロック部材６及びシャフト部材４の間に密着状態で侵入するため、回動中心部分での遊びがなく、ガタつくことがなくなる。従って、使用上の安全性が向上する。
【００５１】
図１０は、この実施の形態の変形々態を示す。この形態においては、スライド部材７の上面にばね受け座３５が載置されている。ばね受け座３５は、コイルばね２３の下側の端部を受け止めるものであり、ばね受け座３５を設けることにより、コイルばね２３の座屈を防止することができると共に、スライド部材７における一対のスライド駒１９を同時に押し下げるため、コイルばね２３の付勢力をスライド部材７に有効に作用させることができるメリットがある。
【００５２】
（実施の形態２）
図１１〜図１３は本発明の実施の形態２を示す。この実施の形態の取手装置４１では、図１１及び図１３に示すように、リング体４２と一対の楔ロッド４３とによってスライド部材４０が形成されている。リング体４２は、解除筒２５の第１の係合段部２８が当接可能な径となるように成形されている。一対の楔ロッド４３は上端部がリング体４２を挟持することにより、リング体４２から軸方向に垂下している。この楔ロッド４３は、軸方向下側に向かって径が漸減する逆円錐形状に成形されている。なお、可動体５とロック部材６との対応部分には、実施の形態１と同様に相互に密着した状態で噛み合うギヤ突起１３、１６が形成されるものである。
【００５３】
楔ロッド４３は、コイルばね２３の付勢力によってスライド部材４０が軸方向下側に移動したとき、シャフト部材４及びロック部材６の間に密着状態となるように侵入するものである。このため、シャフト部材４及びロック部材６には、楔ロッド４３の逆円錐形状に対応した加工が施されている。
【００５４】
すなわち、シャフト部材４における第２のシャフト部４ｂの楔ロッド４３対応部分及びロック部材６の楔ロッド４３対応部分には、一対の円弧形状の楔溝４４、４５が軸方向に沿って形成されている。この場合、楔溝４４はシャフト部材４に形成され、楔溝４５はロック部材６に形成されている。これらの楔溝４４、４５は、図１３に示すように楔ロッド４３と略同じ角度で軸方向下側に向かって径が漸減するように形成されている。これにより、楔溝４４、４５の間に楔ロッド４３が侵入する楔空間が形成されている。
【００５５】
このような実施の形態では、コイルばね２３の付勢力によってスライド部材４０が軸方向下側に移動すると、楔ロッド４３が楔溝４４、４５によって形成される楔空間内に侵入する。この侵入により、楔ロッド４３はシャフト部材４の楔溝４４に密着すると共に、ロック部材６の楔溝４５に密着する。この密着によりスライド部材４０部分での回転方向の遊びが発生することがなく、ガタつきが発生しないため安全性が向上する。
【００５６】
（実施の形態３）
図１４は、本発明の実施の形態３における取手装置５１を示す。この実施の形態においては、ボール５２を有したスライド部材５３が使用されるものである。
【００５７】
この実施の形態のスライド部材５３は、解除筒２５の第１の係合段部２８が当接するフランジ状の受片５４を有すると共に、受片５４の中央部分から軸方向に一体的に延びる筒状のボール受け体５５を有している。ボール受け体５５は、径方向に進退可能なように複数のボール５２を保持している。
【００５８】
これに対し、シャフト部材４の第１のシャフト部４ａは、実施の形態１と同様に四角断面形状に成形されると共に、ロック部材６にはボール５２が当接する斜面１４が形成されている。斜面１４は実施の形態１と同様に、上方から下方に向かってシャフト部材４に徐々に接近するように傾斜している。このように傾斜することにより、シャフト部材４の第１のシャフト部４ａとロック部材６との間に楔空間１５が形成される。
【００５９】
この構造の実施の形態では、コイルばね２３の付勢力によってスライド部材５３が軸方向下側に移動することにより、ボール受け体５５がシャフト部材４の第１のシャフト部４ａとロック部材６との間の楔空間１５に侵入する。この侵入により、ボール受け体５５に保持されているボール５２がシャフト部材４における第１のシャフト部４ａと、ロック部材６における斜面１４とに密着し、これらの間に遊びが発生することを防止することができる。
【００６０】
図１５は、この実施の形態の変形々態を示す。この形態では、スライド部材５３のボール受け体５５におけるシャフト部材４側の部位に隔壁５６が形成されている。隔壁５６は、シャフト部材４の第１のシャフト部４ａと同様な四角断面となっており、シャフト部材４の第１のシャフト部４ａが貫通することにより、スライド部材５３は回転が拘束された状態となる。従って、スライド部材５３はコイルばね２３の付勢力によって軸方向にのみ移動し、この移動によってボール５２を介してシャフト部材４の第１のシャフト部４ａ及びロック部材６の斜面１４に密着する。この密着によってこの部分での遊びの発生を防止することができる。
【００６１】
【発明の効果】
以上説明したように本発明によれば、可動体の回転をロックするロック機構がロック部材の軸方向の移動によって相互の密着状態で噛み合うと共に、スライド部材がロック部材とシャフト部材とに密着するようにロック部材及びシャフト部材の間に侵入するため、取手の回動中心部分での遊びがなくなって、ガタの発生のない状態で取手の回動ロックを行うことができ、安全性が向上する。
【図面の簡単な説明】
【図１】本発明の実施の形態１の取手装置を示す側面図である。
【図２】本発明の実施の形態１の取手装置を示す正面図である。
【図３】図２のＡ−Ａ線におけるロック状態を示す断面図である。
【図４】図３のＢ−Ｂ線断面図である。
【図５】可動体に形成されたギヤ突起の斜視図である。
【図６】スライド部材の周辺を示す分解斜視図である。
【図７】ロック解除の初期状態を示す断面図である。
【図８】ロック解除の中間状態を示す断面図である。
【図９】ロック解除状態を示す断面図である。
【図１０】実施の形態１の変形々態を示す断面図である。
【図１１】本発明の実施の形態２の取手装置を示す断面図である。
【図１２】（ａ）は図１１におけるＣ−Ｃ線断面図、（ｂ）はＤ−Ｄ線断面図である。
【図１３】実施の形態２におけるスライド部材の周辺を示す分解斜視図である。
【図１４】本発明の実施の形態３の取手装置を示す断面図である。
【図１５】実施の形態３の変形々態を示す断面図である。
【符号の説明】
１、４１、５１  取手装置
３  ブラケット
４  シャフト部材
５  可動体
６  ロック部材
７  スライド部材
８  ロック解除機構
１０  取手
１２  ロック機構
【図１】
2004169338.tif 000003
【図２】
2004169338.tif 000004
【図３】
2004169338.tif 000005
【図４】
2004169338.tif 000006
【図５】
2004169338.tif 000007
【図６】
2004169338.tif 000008
【図７】
2004169338.tif 000009
【図８】
2004169338.tif 000010
【図９】
2004169338.tif 000011
【図１０】
2004169338.tif 000012
【図１１】
2004169338.tif 000013
【図１２】
2004169338.tif 000014
【図１３】
2004169338.tif 000015
【図１４】
2004169338.tif 000016
【図１５】
2004169338.tif 000017